(57)【要約】【課題】既製のクラウドのスタンダードスキルを使用し、ユーザに対する利便性を維持したまま、照明装置に含まれる常夜灯を制御する照明装置および照明装置システムを提供する。【解決手段】ユーザクラウドから照明の明るさを指示する明るさコマンドが入力される明るさコマンド取得部と、前記明るさコマンドが示す数値が１０％未満の場合には常夜灯をＯＮにし、前記明るさコマンドが示す数値が１０％以上の場合には照明ユニットの明るさを前記明るさコマンドが示す数値に制御する制御部と、前記常夜灯と、前記照明ユニットを含む。【選択図】図３
2020077522.tif 000002
【特許請求の範囲】
【請求項１】
ユーザクラウドから照明の明るさを指示する明るさコマンドが入力される明るさコマンド取得部と、
前記明るさコマンドが示す数値が１０％未満の場合には常夜灯をＯＮにし、前記明るさコマンドが示す数値が１０％以上の場合には照明ユニットの明るさを前記明るさコマンドが示す数値に制御する制御部と、
前記常夜灯と、
前記照明ユニットを含む照明装置。
【請求項２】
前記照明ユニットは、ＬＥＤ照明装置である請求項１に記載の照明装置。
【請求項３】
請求項１または２に記載の照明装置と、
スマートスピーカと、
前記スマートスピーカと接続され、前記明るさコマンドを含むあらかじめ定められた標準のコマンドセットを有する既製クラウドと、
前記既製クラウドと前記照明装置と接続され、前記明るさコマンドを伝達するユーザクラウドと、を含む照明装置システム。
【請求項４】
前記既製クラウドは、前記スマートスピーカが送信したユーザの発話情報のテキストから前記明るさコマンドを生成する請求項３に記載に照明装置システム。
【請求項５】
スマートスピーカと、
前記スマートスピーカと接続され、照明の明るさを指示する明るさコマンドを含むあらかじめ定められた標準のコマンドセットを有する既製クラウドと、
前記既製クラウドと照明装置と接続されるユーザクラウドと、
常夜灯と、照明ユニットを含む前記照明装置と、を有する照明装置システムにおいて、
前記ユーザクラウドは前記明るさコマンドが示す数値が１０％未満の場合には前記常夜灯をＯＮにし、前記明るさコマンドが示す数値が１０％以上の場合には前記照明ユニットの明るさを前記明るさコマンドが示す数値に制御する照明装置システム。
【発明の詳細な説明】
【技術分野】
【０００１】
本発明は、照明装置および照明装置システムに関する。
【背景技術】
【０００２】
従来から、スマートスピーカからクラウドを介して照明装置をＯＮ／ＯＦＦし、または、照明装置の明るさを制御する技術が知られている。
【０００３】
例えば、スマートスピーカとしてＥｃｈｏ（登録商標）を使用し、既製のクラウドとしてＡｌｅｘａ（登録商標）を使用するシステムでは、照明装置をＯＮ／ＯＦＦし、また、照明装置の明るさを制御することができる。このような、システムの一例として、特許文献１のシステムが挙げられる。
【先行技術文献】
【特許文献】
【０００４】
【特許文献１】特開２０１８−１５９９１８号公報
【発明の概要】
【発明が解決しようとする課題】
【０００５】
しかし、上記のシステムは、米国等の外国の文化に基づいているために、日本の照明装置に含まれる常夜灯を制御するためには、Ａｌｅｘａクラウドのカスタムスキルを使用する必要がある。また、スマートスピーカに対する発話内容も、「常夜灯」を含む第２起動ワードを発声しなければならず、ユーザに対する利便性が低下するということがある。
【０００６】
本発明は、このような従来技術の有する課題に鑑みてなされたものである。本発明の目的は、Ａｌｅｘａクラウド等の既製のクラウドのスタンダードスキルを使用し、ユーザに対する利便性を維持したまま、第２起動ワードを使用することなく、照明装置に含まれる常夜灯を制御する照明装置および照明装置システムを提供することにある。
【課題を解決するための手段】
【０００７】
上記課題を解決するために、本発明の第一の態様に係る照明装置は、ユーザクラウドから照明の明るさを指示する明るさコマンドが入力される明るさコマンド取得部と、前記明るさコマンドが示す数値が１０％未満の場合には常夜灯をＯＮにし、前記明るさコマンドが示す数値が１０％以上の場合には照明ユニットの明るさを前記明るさコマンドが示す数値に制御する制御部と、前記常夜灯と、前記照明ユニットを含む。
【０００８】
本発明の第二の態様に係る照明装置システムは、第一の態様に係る照明装置と、スマートスピーカと、前記スマートスピーカと接続され、前記明るさコマンドを含むあらかじめ定められた標準のコマンドセットを有する既製クラウドと、前記既製クラウドと前記照明装置と接続され、前記明るさコマンドを伝達するユーザクラウドと、を含む。
【０００９】
本発明の第三の態様に係る照明装置システムは、スマートスピーカと、前記スマートスピーカと接続され、照明の明るさを指示する明るさコマンドを含むあらかじめ定められた標準のコマンドセットを有する既製クラウドと、前記既製クラウドと前記照明装置と接続されるユーザクラウドと、常夜灯と、照明ユニットを含む照明装置と、を有する照明装置システムにおいて、前記ユーザクラウドは前記明るさコマンドが示す数値が１０％未満の場合には常夜灯をＯＮにし、前記明るさコマンドが示す数値が１０％以上の場合には照明ユニットの明るさを前記明るさコマンドが示す数値に制御する。
【発明の効果】
【００１０】
本開示によれば、既製のクラウドのスタンダードスキルを使用し、ユーザに対する利便性を維持したまま、照明装置に含まれる常夜灯を制御する照明装置および照明装置システムを提供することができる。
【図面の簡単な説明】
【００１１】
【図１】本実施形態に係わる照明装置システムの一例を示す図である。
【図２】本実施形態に係わる照明装置の一例を示すブロック図である。
【図３】本実施形態に係わる照明装置の動作の一例を示すフローチャートである。
【図４】本実施形態に係わるユーザクラウドの変形例の動作の一例を示すフローチャートである。
【図５】本実施形態に係わる照明装置の変形例の一例を示すブロック図である。
【図６】本実施形態に係わる照明装置の変形例の動作の一例を示すフローチャートである。
【発明を実施するための形態】
【００１２】
以下、本実施形態に係わる照明装置および照明装置システムについて詳細に説明する。なお、図面の寸法比率は説明の都合上誇張されており、実際の比率と異なる場合がある。
【００１３】
（照明装置システム）
本実施形態に係わる照明装置システム１０００の一例を図１に示す。図１に示すように、照明装置システム１０００は、照明装置１００、スマートスピーカ２００、既製クラウド３００およびユーザクラウド４００を含んで構成される。
【００１４】
照明装置システム１０００の照明装置１００およびスマートスピーカ２００は、一般の住宅、および、オフィスを含む商業施設等の建造物１０に設置されることができる。以下の説明では、照明装置システム１０００の照明装置１００およびスマートスピーカ２００が一般の住宅およびオフィス等の建造物１０に設置される場合について説明する。
【００１５】
図２に示すように、照明装置１００には常夜灯１３０とＬＥＤ照明装置等の照明ユニット１４０が含まれる。また、照明装置１００はシーリングライトであってもよい。照明装置１００の詳細については、後述する。
【００１６】
図１に戻って、照明装置システム１０００を説明する。
【００１７】
ユーザ２０は照明装置１００をＯＮ／ＯＦＦし、照明装置１００の明るさを制御する場合には、音声によって、スマートスピーカ２００に発話情報３０を与えて。照明装置１００を制御する。一例として、発話情報３０には「Ａｌｅｘａ（既製クラウド名の一例）、明かりをつけて」、「Ａｌｅｘａ、明かりを１０％にして」および「Ａｌｅｘａ、明かりを９％にして」等が挙げられる。
【００１８】
「Ａｌｅｘａ、明かりをつけて」という発話情報３０は、照明装置１００に含まれる照明ユニット１４０の明かりを点灯させる情報である。
【００１９】
また、「Ａｌｅｘａ、明かりを１０％にして」という発話情報３０は、照明装置１００に含まれる照明ユニット１４０の明かりを１０％に調光させる情報である。
【００２０】
さらに、「Ａｌｅｘａ、明かりをＸ％にして」（Ｘは１０未満の実数）という発話情報３０は、照明装置１００に含まれる常夜灯１３０をＯＮにさせる情報である。「Ａｌｅｘａ、明かりをＸ％にして」（Ｘは１０未満の実数）という発話情報３０の処理の詳細については後述する。
【００２１】
これらの、発話情報３０は、既製クラウド３００において、あらかじめ用意されているスタンダードコマンドに変換できる発話情報３０である。
【００２２】
ユーザ２０からスマートスピーカ２００に発せられた発話情報３０は、スマートスピーカ２００において、テキストに変換され、発話情報のテキスト３１として、Ａｌｅｘａ等の既製クラウド３００に送信される。
【００２３】
既製クラウド３００は、入力Ｉ／Ｆ（Interface）部３１０を介して、発話情報のテキスト３１を受信し、記憶部３３０に記憶されているスタンダードコマンドに変換できるか否かを判断する。
【００２４】
本実施形態では、制御部３２０が発話情報のテキスト３１からスタンダードコマンドとして用意されている明るさコマンドに変換できることを判断する。そして、制御部３２０が、発話情報のテキスト３１を明るさコマンド３２に変換する。なお、発話情報のテキスト３１を構成するフレーム情報には、ユーザ２０またはスマートスピーカ２００の情報が含まれる。したがって、明るさコマンド３２を構成するフレーム情報にもユーザ２０またはスマートスピーカ２００の情報が含まれる。
【００２５】
本実施形態では、明るさコマンド３２に、明るさを示す情報として「Ｘ％」（Ｘは１０以下の実数）が使用される場合について説明する。このコマンドはスタンダードコマンドである。
【００２６】
既製クラウド３００のスタンダードコマンドである明るさコマンド３２は、出力Ｉ／Ｆ部３４０を介して、ユーザクラウド４００に送信される。ユーザクラウド４００は、明るさコマンド３２が送信されるべきアドレス情報を記憶部４３０に記憶している。
【００２７】
ユーザクラウド４００の入力Ｉ／Ｆ部４１０の一例としては、ＡＰＩゲートウェイが挙げられるが、ここでは、ＡＰＩゲートウェイは公知の技術なので詳細は省略する。
【００２８】
ユーザクラウド４００の制御部４２０は、明るさコマンド３２に含まれるヘッダー等の情報から、記憶部４３０を参照して、明るさコマンド３２が送信されるべきユーザ２０の照明装置１００を認識する。ユーザ２０および照明装置１００の登録処理はあらかじめ定められた手順であらかじめ実行されている。
【００２９】
ユーザクラウド４００の制御部４２０は、明るさコマンド３２に含まれる、明るさを示す情報である「Ｘ％」を含む明るさコマンド３３を出力Ｉ／Ｆ部４４０を介して照明装置１００に送信する。
【００３０】
ユーザクラウド４００の出力Ｉ／Ｆ部４４０の一例としては、ＡＷＳ  Ｉｏｔが挙げられるが、ここでは、ＡＷＳ  Ｉｏｔは公知の技術なので詳細は省略する。
【００３１】
照明装置１００は明るさコマンド３３を受信し、必要な処理を実行する。
【００３２】
図２は、本実施形態に係わる照明装置１００のブロック図の一例を示す図である。
【００３３】
照明装置１００には、明るさコマンド取得部１１０、制御部１２０、常夜灯１３０、ＬＥＤを含むＬＥＤ照明装置等の照明ユニット１４０が含まれる。
【００３４】
明るさコマンド取得部１１０は、ユーザクラウド４００から送信された明るさコマンド３３を受信する機能を有する。
【００３５】
制御部１２０は、明るさコマンド３３に含まれる明るさを示す情報としての「Ｘ％」を抽出する。制御部１２０は、「Ｘ％」が１０％以上である場合には、照明ユニット１４０のＬＥＤの輝度を「Ｘ％」に制御する。
【００３６】
また、制御部１２０は、「Ｘ％」が１０％未満である場合には、常夜灯１３０をＯＮにする。すなわち、明るさコマンド３３に含まれる明るさを示す情報としての「Ｘ％」が１０％未満の一桁の数値％である場合には、制御部１２０は照明ユニット１４０を制御しないで、常夜灯１３０をＯＮにする。例えば、明るさコマンド３３に含まれる明るさを示す情報としての「Ｘ％」が、０％を超える値から１０％未満までの値の場合には、制御部１２０は照明ユニット１４０を制御しないで、常夜灯１３０をＯＮにする。また、一例として、明るさコマンド３３に含まれる明るさを示す情報としての「Ｘ％」が０％の場合には、制御部１２０は照明ユニット１４０をＯＦＦにするとともに、常夜灯１３０をＯＦＦにする。
【００３７】
本実施形態では、明るさコマンド３３に含まれる明るさを示す情報としての「Ｘ％」が１０％未満の一桁の数値％である場合には、ＬＥＤの調光が困難であることから、明るさコマンド３３を常夜灯１３０の制御に使用する。なお、一例として、「Ｘ％」が０％の場合には、制御部１２０は、常夜灯１３０をＯＦＦにすることができる。また、明るさコマンド３２と明るさコマンド３３とは、宛先情報を含むヘッダー情報等の付加情報を除いたデータには同一の情報を含むことができる。
【００３８】
図３は、ユーザクラウド４００から明るさコマンド３３を受信した照明装置１００の動作の一例を示すフローチャートである。
【００３９】
ステップＳ３０１において、照明装置１００の明るさコマンド取得部１１０は、明るさコマンド３３を受信したか否かを判断する。明るさコマンド３３が受信された場合（ステップＳ３０１：ＹＥＳ）には、照明装置１００はステップＳ３０２に進む。明るさコマンド３３が受信されない場合（ステップＳ３０１：ＮＯ）には、照明装置１００はステップＳ３０１を繰り返す。
【００４０】
ステップＳ３０２において、照明装置１００の制御部１２０は、明るさコマンド３３に含まれるデータから明るさを示す情報としての「Ｘ％」を抽出する。そして、制御部１２０は「Ｘ％」が１０％以上であるか否かを判断する。「Ｘ％」が１０％以上である場合（ステップＳ３０２：ＹＥＳ）には、制御部１２０はステップＳ３０３に進む。「Ｘ％」が１０％未満である場合（ステップＳ３０２：ＮＯ）には、制御部１２０はステップＳ３０４に進む。
【００４１】
ステップＳ３０３において、照明装置１００の制御部１２０は、照明装置１００に含まれる照明ユニット１４０の明るさが「Ｘ％」になるように調光する。一例として、照明ユニット１４０はＬＥＤを含むシーリング用のシーリングライトであるＬＥＤ照明装置であってもよい。
【００４２】
ステップＳ３０４において、照明装置１００の制御部１２０は、照明装置１００に含まれる常夜灯１３０をＯＮにする。ただし、「Ｘ％」が０％の場合には、照明装置１００の制御部１２０は、照明装置１００に含まれる常夜灯１３０をＯＦＦにしてもよい。
【００４３】
以上説明したように、本実施形態の照明装置１００は、ユーザクラウド４００から明るさコマンド３３が入力される明るさコマンド取得部１１０と、明るさコマンド１１１０が示す数値が１０％未満の場合には常夜灯１３０をＯＮにし、明るさコマンド３３が示す数値が１０％以上の場合には照明ユニット１４０の明るさを明るさコマンド３３が示す数値に制御する制御部１２０と、常夜灯１３０と、照明ユニット１４０を含む。
【００４４】
また、照明ユニット１４０は、ＬＥＤ照明装置であってもよい。
【００４５】
さらに、本実施形態の照明装置システム１０００は、スマートスピーカ２００と、スマートスピーカ２００と接続され、明るさコマンド３２を含むあらかじめ定められた標準のコマンドセットを有する既製クラウド３００と、既製クラウド３００と照明装置１００と接続され、明るさコマンド３３を伝達するユーザクラウド４００と、を含む。
【００４６】
既製クラウド３００は、スマートスピーカ２００が送信したユーザの発話情報のテキスト３１から明るさコマンド３２を生成する。
【００４７】
上記構成によれば、既製のクラウドのスタンダードスキルを使用し、ユーザに対する利便性を維持したまま、照明装置に含まれる常夜灯を制御する照明装置および照明装置システムを提供することができる。
【００４８】
（変形例）
上述した、実施形態においては、明るさコマンド３３を受信した、照明装置１００が、明るさコマンド３３に含まれる明るさを示す情報としての「Ｘ％」に基づいて、照明装置１００に含まれる常夜灯１３０または照明ユニット１４０を制御した。
【００４９】
しかし、本変形例では、ユーザクラウド４００が、明るさコマンド３２に含まれる明るさを示す情報としての「Ｘ％」に基づいて、照明装置１００に含まれる常夜灯１３０または照明ユニット１４０を制御する。
【００５０】
図４は、ユーザクラウド４００の制御部４２０が、照明装置１００に含まれる常夜灯１３０または照明ユニット１４０を制御するための制御コマンドを生成するフローチャートである。
【００５１】
ステップＳ４０１において、ユーザクラウド４００は、既製クラウド３００から入力Ｉ／Ｆ部４１０を介して、明るさコマンド３２を取得したか否かを判断する。ユーザクラウド４００が明るさコマンド３２を取得した場合（ステップＳ４０１：ＹＥＳ）には、ユーザクラウド４００はステップＳ４０２に進む。ユーザクラウド４００が明るさコマンド３２を取得しない場合（ステップＳ４０１：ＮＯ）には、ユーザクラウド４００はステップＳ４０１を繰り返す。
【００５２】
ステップＳ４０２において、ユーザクラウド４００の制御部４２０は、明るさコマンド３２に含まれるデータから明るさを示す情報としての「Ｘ％」を抽出する。そして、制御部４２０は「Ｘ％」が１０％以上であるか否かを判断する。「Ｘ％」が１０％以上である場合（ステップＳ４０２：ＹＥＳ）には、制御部４２０はステップＳ４０３に進む。「Ｘ％」が１０％未満である場合（ステップＳ４０２：ＮＯ）には、制御部４２０はステップＳ４０４に進む。
【００５３】
ステップＳ４０３において、ユーザクラウド４００の制御部４２０は、照明装置１００に含まれる照明ユニット１４０を制御するための制御コマンドを生成する。すなわち、照明ユニット１４０の明るさを「Ｘ％」とする照明ユニット制御コマンドを生成する。そして、制御部４２０は、出力Ｉ／Ｆ部４４０を介して、照明装置１００に上記照明ユニット制御コマンドを送信する。
【００５４】
ステップＳ４０４において、ユーザクラウド４００の制御部４２０は、照明装置１００に含まれる常夜灯１３０を制御するための制御コマンドを生成する。すなわち、常夜灯１３０をＯＮとする常夜灯制御コマンドを生成する。そして、制御部４２０は、出力Ｉ／Ｆ部４４０を介して、照明装置１００に上記常夜灯制御コマンドを送信する。
【００５５】
図５は、本変形例に係わる照明装置１００’のブロック図の一例を示す図である。
【００５６】
照明装置１００’は、制御コマンド取得部１１０’、制御部１２０’、常夜灯１３０’および照明ユニット１４０’を含んで構成される。
【００５７】
制御コマンド取得部１１０’は、ユーザクラウド４００から送信された常夜灯制御コマンドまたは照明ユニット制御コマンドを受信する機能を有する。
【００５８】
制御部１２０’は、制御コマンド取得部１１０’が受信した制御コマンドが、常夜灯制御コマンドであるか照明ユニット制御コマンドであるかを判断する。
【００５９】
受信した制御コマンドが、常夜灯制御コマンドである場合には、制御部１２０’は、以下の処理を実行する。すなわち、制御部１２０’は、常夜灯制御コマンドに常夜灯１３０’をＯＮにする情報が含まれるか、ＯＦＦにする情報が含まれるかを判断して、常夜灯制御コマンドにしたがって、常夜灯１３０’をＯＮまたはＯＦＦにする。
【００６０】
受信した制御コマンドが、照明ユニット制御コマンドである場合には、制御部１２０’は、照明ユニット制御コマンドに含まれる明るさ情報「Ｘ％」にしたがって、照明ユニット１４０’を調光する。
【００６１】
図６は、本変形例に係わる照明装置１００’の動作の一例を示すフローチャートである。
【００６２】
ステップＳ６０１において、照明装置１００’の制御コマンド取得部１１０’は、ユーザクラウド４００から常夜灯制御コマンドまたは照明ユニット制御コマンドを受信したか否かを判断する。制御コマンド取得部１１０’が制御コマンドを受信した場合（ステップＳ６０１：ＹＥＳ）には、照明装置１００’はステップＳ６０２に進む。制御コマンド取得部１１０’が制御コマンドを受信しない場合（ステップＳ６０１：ＮＯ）には、照明装置１００’はステップＳ６０１を繰り返す。
【００６３】
ステップＳ６０２において、照明装置１００’の制御部１２０’は、受信した制御コマンドが常夜灯制御コマンドであるか否かを判断する。受信した制御コマンドが常夜灯制御コマンドである場合（ステップＳ６０２：ＹＥＳ）には、制御部１２０’はステップＳ６０３に進む。受信した制御コマンドが常夜灯制御コマンドではない場合（ステップＳ６０２：ＮＯ）には、制御部１２０’はステップＳ６０４に進む。
【００６４】
ステップＳ６０３において、制御部１２０’は、常夜灯１３０’をＯＮにする情報が含まれるか、ＯＦＦにする情報が含まれるかを判断して、常夜灯制御コマンドにしたがって、常夜灯１３０’をＯＮまたはＯＦＦにする。
【００６５】
ステップＳ６０４において、照明装置１００’の制御部１２０’は、受信した制御コマンドが照明ユニット制御コマンドであるか否かを判断する。受信した制御コマンドが照明ユニット制御コマンドである場合（ステップＳ６０４：ＹＥＳ）には、制御部１２０’はステップＳ６０５に進む。受信した制御コマンドが照明ユニット制御コマンドではない場合（ステップＳ６０４：ＮＯ）には、制御部１２０’は処理を終了する。
【００６６】
ステップＳ６０５において、制御部１２０’は、照明ユニット制御コマンドに含まれる明るさ情報「Ｘ％」にしたがって、照明ユニット１４０’を調光する。
【００６７】
以上説明したように、本実施形態の変形例に係わる照明装置システム１０００は、スマートスピーカ２００と、スマートスピーカ２００と接続され、照明の明るさを指示する明るさコマンド３２を含むあらかじめ定められた標準のコマンドセットを有する既製クラウド３００と、既製クラウド３００と照明装置１００’と接続されるユーザクラウド４００と、常夜灯１３０’と、照明ユニット１４０’を含む照明装置１００’と、を有する照明装置システム１０００において、ユーザクラウド４００は明るさコマンド３２が示す数値が１０％未満の場合には常夜灯１３０’をＯＮにし、明るさコマンド３２が示す数値が１０％以上の場合には照明ユニット１４０’の明るさを明るさコマンド３２が示す数値に制御する。
【００６８】
上記構成によれば、既製のクラウドのスタンダードスキルを使用し、ユーザに対する利便性を維持したまま、照明装置に含まれる常夜灯を制御する照明装置および照明装置システムを提供することができる。
【００６９】
以上、本実施形態を説明したが、本実施形態はこれらに限定されるものではなく、本実施形態の要旨の範囲内で種々の変形が可能である。
【符号の説明】
【００７０】
１０  建造物
２０  ユーザ
３０  発話情報
３１  発話情報のテキスト
３２、３３  明るさコマンド
１００、１００’  照明装置
１１０  明るさコマンド取得部
１１０’  制御コマンド取得部
１３０、１３０’  常夜灯
１４０、１４０’  照明ユニット
２００  スマートスピーカ
３００  既製クラウド
３１０、４１０  入力Ｉ／Ｆ部
１２０、１２０’、３２０、４２０  制御部
３３０、４３０  記憶部
３４０、４４０  出力Ｉ／Ｆ部
４００  ユーザクラウド
１０００  照明装置システム
【図１】
2020077522.tif 000003
【図２】
2020077522.tif 000004
【図３】
2020077522.tif 000005
【図４】
2020077522.tif 000006
【図５】
2020077522.tif 000007
【図６】
2020077522.tif 000008